(57)【要約】【課題】現在、実用の電力は、水力、風力、火力、原子力、あるいは太陽光発電などによって得られている。    水力、風力発電や太陽光発電は日照、天候といった気象条件に依存するため安定したエネルギーを確保することが困難であり、火力発電では石油や石炭等の燃焼による大気汚染や地球温暖化が問題視されている。また、資源の枯渇も避けて通れない懸案事項である。未來のエネルギーとして、強力に推進されてきた原子力発電にあっては、永く信奉されてきた「安全神話」は既に崩壊し、核廃棄物処分の問題に至っては依然として解決の目処すら立たない。【解決手段】地上に静止した導体に、地磁気と地球の自転により電力を生じさせることにより、環境負荷も少なく、天候などの条件にも左右されない、安全で安定な電気エネルギーを得る手段を提供する。【選択図】図１
2018044503.tif 000002
【特許請求の範囲】
【請求項１】
地磁気と直交する成分を有する導体を備え、その導体が地球の自転により地磁気を切ることで発生する誘導電力を活用することを特徴とした発電装置。
【請求項２】
請求項１に記載の導体を複数備え、それぞれの導体が地磁気と直交する成分が概ね等しくなるように配置したことを特徴とする発電装置
【請求項３】
請求項１または２に記載の装置を複数台備え、それぞれの装置を並列もしくは直列に接続することで電力をす確保することを特徴とした発電装置。
【請求項４】
請求項１または２または３に記載の発電装置により生成された電力、磁気を利用した装置。
【発明の詳細な説明】
【技術分野】
【０００１】
本発明は、地磁気を利用した発電および付随して得られる磁場に関するものである。
【背景技術】
【０００２】
現在、実用の電力は、水力、風力、火力、あるいは太陽光発電などによって得られている。
【０００３】
水力、風力発電や太陽光発電は日照、天候といった気象条件に依存するため安定したエネルギーを確保することが困難であり、火力発電では石油や石炭等の燃焼による大気汚染や地球温暖化が問題視されている。また、資源の枯渇も避けて通れない懸案事項である。
【０００４】
これらの課題を解決するため、未來のエネルギーとしての原子力発電が提唱され、強力に推進されてきた。しかし、原子力における「安全神話」は既に崩壊し、核廃棄物処分の問題に至っては依然として解決の目処すら立たない。
【０００５】
これら山積された問題に対して、特許文献１に示されるような、地球上の北極のS極と南極のN極とが作り出すエネルギーから電流を得るアイデアが示されている。
【先行技術文献】
【特許文献】
【０００６】
【特許文献１】特開２０１４−０２５３６４号公報
【発明の概要】
【発明が解決しようとする課題】
【０００７】
しかしながら、特許文献１では、地磁気に対して巨大なコイルを運動させる必要があるが、その点に言及されていない。また、プラントの設置は南極に限られる事など、発明者自身も認めているとおり、実現は極めて困難でありアイデアの域を出ない。
【０００８】
本発明は、簡易な構成で、安全で安定な電源を供給する。また、本発明によって得られる磁場は、現代に至るまで永く神秘とされていた所謂ピラミッド・パワーの謎に対しても、電磁気学による科学的根拠を付与するものであり、数多のパワースポットで観測されるゼロ磁場をも生成する。
【課題を解決するための手段】
【０００９】
地球上には南極から北極に向かう地磁気が存在している。地磁気の成因の９９％は地球内部にあり、地球内部の鉄やニッケルを多く含んだコアの流動、対流によるものである。地球は自転しているが、コアは流体であるため、地殻の回転速度とは差が生ずる。即ち、地磁気の回転と地殻の回転には位相差がある。したがって、地上に静止している物体は常に地磁気の中を移動しているのである。本発明は、地表上に静止した導体が地磁気を切ることにより発生する起電力を利用することを最も主要な特徴とする。
【発明の効果】
【００１０】
本発明によれば、地上に静止した導体に、地磁気と地球の自転により電力を生じさせるので、環境負荷も少なく、天候などの条件にも左右されない、安全で安定な電気エネルギーを得ることができるという利点がある。
【図面の簡単な説明】
【００１１】
【図１】図１は本発明の一実施形態の説明図である。（実施例１）
【図２】図２は地球の自転と磁気の説明図である。
【図３】図３はフレミング右手の法則の説明図である。
【図４】図４は本発明の一実施形態の説明図である。（実施例２）
【図５】図５は本発明の一実施形態の説明図である。（実施例３）
【発明を実施するための形態】
【００１２】
安全で安定な電源を供給するという目的を、受動部品のみを用い、タービンなどの可動部品も使わずに実現する。
以下、図面を参照しつつ、本発明の一実施形態について説明する。
【実施例１】
【００１３】
図１は、本発明の１実施例の斜視図である。１は、導体であって、鉛直線とθ[rad]の角度を以て、水平面上にある正方形の上に建てられている。正方形の底面の２辺は南北、２辺は東西の線上にあり、正四角錐の形態を成している。
【００１４】
図２は、図１に示した本発明品が地球上に設置された状態を表している。４は地球の自転方向、５は地磁気の方向である。地球は自転しているが、地磁気を発生する地球のコアは流体であるため、地殻の回転速度と地磁気の回転速度との間には差異が生ずる。設置された地域における速度の差分をΔＶ[m/s]とすると、地上に静止した状態で設置された物体は地磁気の中をΔＶ[m/s]の速度で移動しているのと等価である。
【００１５】
図３はフレミング右手の法則の説明図である。磁界の中を移動する電子にはローレンツ力が働き電流が誘起される。フレミング右手の法則は、磁界の方向と、導体が磁界の中を移動する方向と、導体に誘起される電流の方向の関係に関するものである。図３中の６は磁界の方向、７は導体が磁界の中を移動する方向、８は導体に誘起される電流の方向である。フレミング右手の法則を本実施例図１に当てはめると、地磁気３の中を移動する導体１に２の電流が誘導されることが判る。
【００１６】
本実施例において誘起される電力は、下記の数式１によって表される。
（数式１）
e[V] ＝ B[T] ｘ l[m] ｘ cosθｘ ΔV[m/s]
【００１７】
上記の数式中、e[V]は誘導起電力、B[T]は磁束密度、ｌ[m]は導体の長さである。ΔV[m/s] は地殻の回転速度と地磁気の回転速度との差分、θ[rad]は本実施例において導体と鉛直線の成す角度である。
【実施例２】
【００１８】
上記の数式は、実施例１で得られる電力であるが、図４は、より大きな電力を得るための手段を示している。９は四角錐の側面にn本の導体を配置することによりn倍の電流を得るモデルである。10並列接続は、ｍ個の四角錐を並列に、夫々の頂点同士、底面同士を接続することによりｍ倍の電流を得、11直列接続は初段の頂点を次段の底面にと、順次、直列にカスケード接続しｍ倍の電圧を得ることができる。カスケード接続に用いる導線は12磁気シールドされている必要がある。尚、９に示した四角錐の側面に配置したn本の導体を、12磁気シールドされた導体により、直列にカスケード接続することでn倍の電圧を得ることもできる。
【実施例３】
【００１９】
図１に示した正四角錐の形状を採用したので、図１中に２で示した電流の経路ができる。電流経路の周辺には、右ねじの法則従って、図５に示す磁界13、14が発生する。正四角錐の内部において、磁界13は地磁気15と順方向であるが、磁界14は地磁気15と逆方向のベクトル成分を有する。これらの磁界が干渉し合うことで、ゼロ磁場が生成される。ゼロ磁場には、集中力、免疫力が高まる、物が腐らないなど、特殊な効果があるとされる。  
【産業上の利用可能性】
【００２０】
本発明は、簡易な構成で、安全で安定な電源を供給するものであり、電力を必要とするあらゆる産業におおいに役立つ。
【００２１】
また、本発明によって得られる磁場は、現代に至るまで永く神秘とされていた所謂ピラミッド・パワーの謎に対しても、電磁気学による科学的根拠を付与するものであり、数多のパワースポットで観測されるゼロ磁場をも生成する。ゼロ磁場には、集中力、免疫力を高めるなど、特殊な効果があるとされており、健康増進器具などにも適用できる。
【符号の説明】
【００２２】
１    導体
２    誘導電流
３    地磁気
４    地球の自転方向
５    地磁気の方向
６    磁界の方向
７    導体が磁界の中を移動する方向
８    導体に誘起される電流の方向
９    電流ｎ倍化モデル
10   並列接続
11   直列接続
12   磁気シールド
13   磁界（順）
14   磁界（逆）
15   地磁気
【図１】
2018044503.tif 000003
【図２】
2018044503.tif 000004
【図３】
2018044503.tif 000005
【図４】
2018044503.tif 000006
【図５】
2018044503.tif 000007